(57)【要約】【課題】高密度記録化が可能とされた多層記録メディア及びその多層記録方法を提供する。【解決手段】溝底部２１とされるグルーブ部分２１と、溝底部２１の反対側の上面部２２とされるランド部分２２とを有するランド・グルーブ構造をした略円板状のマイクロホログラム系高密度多層記録方式等に対応する多層記録メディア１０及びその多層記録方法に関する。ランド・グルーブ構造部２０を構成するグルーブ部分２１と、ランド・グルーブ構造部２０を構成するランド部分２２とをガイドとして、信号層３０に側面視略長円形の記録マーク３１，３２を形成させる。【選択図】図１
2012226798.tif 000002
【特許請求の範囲】
【請求項１】
溝底部とされるグルーブ部分と、前記溝底部の反対側の上面部とされるランド部分とを有する多層記録メディアであって、前記グルーブ部分と、前記ランド部分とをガイドとして、記録マークを形成可能とさせたことを特徴とする多層記録メディア。
【請求項２】
マイクロホログラム系多層記録方式に対応したことを特徴とする請求項１に記載の多層記録メディア。
【請求項３】
溝底部とされるグルーブ部分と、前記溝底部の反対側の上面部とされるランド部分とを有する多層記録メディアの多層記録方法であって、前記グルーブ部分と、前記ランド部分とをガイドとして、記録マークを形成させることを特徴とする多層記録メディアの多層記録方法。
【請求項４】
マイクロホログラム系多層記録方式に対応することを特徴とする請求項３に記載の多層記録メディアの多層記録方法。
【発明の詳細な説明】
【技術分野】
【０００１】
本発明は、例えば高密度記録化が可能とされた多層記録メディア及びその多層記録方法に関する。
【背景技術】
【０００２】
図２は、従来の記録メディア及びその記録方法の一形態を示すものである。
【０００３】
高密度記録の実現方法として、例えばマイクロホログラム（Ｍｉｃｒｏ−Ｈｏｌｏｇｒａｍ）記録が可能なメディア１１０が提案されている。そのような高密度記録のメディア１１０として、例えば図２に示すディスク（Ｄｉｓｃ）構造を有するものが考えられている。このようなディスク構造を備えるディスク１１０の制御が行われるときに、例えばガイド（Ｇｕｉｄｅ）層１２０を利用して、そのガイド層１２０からの深さの差を基準にフォーカス（Ｆｏｃｕｓ）制御が行われる。また、ガイド層１２０に刻まれたトラック（Ｔｒａｃｋ）制御用のグルーブ（Ｇｒｏｏｖｅ）部分１２１を基準にトラッキング（Ｔｒａｃｋｉｎｇ）が行われる。また、信号層１３０のグルーブ（Ｇｒｏｏｖｅ）部分１２１の深さ方向にのみ信号用の記録マーク（Ｍａｒｋ）１３３が形成される。
【０００４】
マイクロホログラムに関することが記載されたものとして、例えば、情報を表すホログラムを光ディスクに対して高密度に記録させるために、光ディスクに記録マークを記録する際に、空間的に隣接する他の記録マークとの間でアジマス角が相違するようにして記録させ、再生時には再生対象の記録マークのアジマス角に応じた角度で参照光を照射させることにより、再生対象以外の記録マークからのクロストークを削減させ、その分、光ディスクの記録密度を向上させた光ディスク装置、光ディスク、記録制御方法並びに再生制御方法というものがある（例えば、特許文献１参照。）。
【先行技術文献】
【特許文献】
【０００５】
【特許文献１】特開２００８−７１４３４号公報（第１頁、第１４，１５図）
【発明の概要】
【発明が解決しようとする課題】
【０００６】
昨今、記録メディア１１０に対し、より高密度記録が可能な記録メディア１１０が要望されている。これは、例えばマイクロホログラム系メディア１１０についても同様なこととされる。
【０００７】
本発明は、上記した点に鑑み、より高密度記録化が可能とされた多層記録メディア及びその多層記録方法を提供することを目的とする。
【課題を解決するための手段】
【０００８】
上記課題を解決するために、本発明の請求項１に係る多層記録メディアは、溝底部とされるグルーブ部分と、前記溝底部の反対側の上面部とされるランド部分とを有する多層記録メディアであって、前記グルーブ部分と、前記ランド部分とをガイドとして、記録マークを形成可能とさせたことを特徴とする。
【０００９】
請求項２に係る多層記録メディアは、請求項１に記載の多層記録メディアにおいて、マイクロホログラム系多層記録方式に対応したことを特徴とする。
【００１０】
請求項３に係る多層記録メディアの多層記録方法は、溝底部とされるグルーブ部分と、前記溝底部の反対側の上面部とされるランド部分とを有する多層記録メディアの多層記録方法であって、前記グルーブ部分と、前記ランド部分とをガイドとして、記録マークを形成させることを特徴とする。
【００１１】
請求項４に係る多層記録メディアは、請求項３に記載の多層記録メディアの多層記録方法において、マイクロホログラム系多層記録方式に対応することを特徴とする。
【発明の効果】
【００１２】
以上の如く、請求項１又は３に記載の発明によれば、多層記録メディアの高密度化に寄与することができる。
【００１３】
また、請求項２又は４に記載の発明によれば、マイクロホログラム系多層記録方式に対応した多層記録メディアを提供することができる。
【図面の簡単な説明】
【００１４】
【図１】本発明に係る多層記録メディア及びその多層記録方法の一実施の形態を示す断面図である。
【図２】従来の記録メディア及びその記録方法の一形態を示す断面図である。
【発明を実施するための形態】
【００１５】
以下に本発明に係る多層記録メディア及びその多層記録方法の一実施の形態を図面に基づいて詳細に説明する。
【００１６】
図１は、本発明に係る多層記録メディア及びその多層記録方法の一実施の形態を示すものである。
【００１７】
この多層記録メディア１０は、溝底部２１とされるグルーブ（Ｇｒｏｏｖｅ）部分２１と、溝底部２１の反対側の上面部２２とされるランド（Ｌａｎｄ）部分２２とを有する例えばランド・グルーブ構造をした略円板状の高密度多層記録方式のメディア１０として構成されている。
【００１８】
また、この略円板状の高密度多層記録方式の多層記録メディア１０は、溝底部２１とされるグルーブ部分２１と溝底部２１の反対側の上面部２２とされるランド部分２２とを有するランド・グルーブ構造部２０いわゆるガイド層２０と、ガイド層２０に対して略直交する深さ方向たとえばメディア１０の厚み方向に略沿って延ばされて側面視略長円形／楕円形の略格子縞模様をした複数の記録マーク３１，３２が構成される信号部３０いわゆる信号層３０と、を備えた回動可能な略円板状の高密度多層記録方式のメディア１０として構成されている。
【００１９】
また、この高密度多層記録方式のメディア１０の構造は、例えば高密度多層記録方式のメディア１０の多層記録方法が行われるときに、ランド・グルーブ構造部２０を構成するグルーブ部分２１と、ランド・グルーブ構造部２０を構成するランド部分２２との両方を利用してトラック追従のガイドとさせ、その深さ方向下部の信号層３０に例えば側面視略長円形記録マーク３１，３２を形成可能とさせる構造とされている。ランド・グルーブ構造部２０は、例えば断面視略凹凸状をしたガイド層２０として構成される。
【００２０】
多層記録メディア１０が例えば断面視されたときに、深さ方向に略沿って延ばされた断面視略長円形／楕円形の略格子縞模様の各記録マーク３１，３２は、信号層３０とされる信号部３０内において、例えば互い違いに配列されて、例えば略千鳥状に配列される。
【００２１】
高密度多層記録方式のメディア１０の多層記録方法が行われるときに、このように例えばガイド層２０として構成されるランド・グルーブ構造部２０を備えた高密度多層記録方式のメディア１０が構成されていれば、ランド・グルーブ構造部２０の溝底部２１とされるグルーブ部分２１をトラック追従のガイドとして、グルーブ部分２１の深さ方向下部の信号層３０に例えば側面視略長円形記録マーク３１を形成させることが可能となるとともに、溝底部２１の反対側の上面部２２とされるランド・グルーブ構造部２０のランド部分２２をトラック追従のガイドとして、ランド部分２２の深さ方向下部の信号層３０に例えば側面視略長円形記録マーク３２を形成させることが可能となる。従って、略円板状の高密度多層記録方式のメディア１０の高密度記録化に寄与することができる。
【００２２】
また、略円板状の高密度多層記録方式のメディア１０は、例えば高密度多層記録方式のメディア１０の多層記録方法が行われるときに、回動可能な略円板状のマイクロホログラム（Ｍｉｃｒｏ−Ｈｏｌｏｇｒａｍ）系高密度多層記録方式に対応する略円板状のものとして構成されている。
【００２３】
回動可能な略円板状のマイクロホログラム系高密度多層記録方式のメディア１０とされたものが製造されることにより、高密度多層記録方式のメディア１０の多層記録方法が比較的容易に実行可能となり、これとともに、例えば市場に回動可能な略円板状のマイクロホログラム系高密度多層記録方式に対応した多層記録メディア１０を安定して提供することができることとなる。
【００２４】
図２に示す従来のマイクロホログラム系メディア１１０においては、例えばグルーブ部分１２１に形成された記録マーク１３３等によるグルーブ信号のみを使用して制御を行い、信号層１３０の溝の深さ方向に多層記録が行われていた。
【００２５】
しかしながら、グルーブ信号のみで制御を行うのではなく、図１に示す如く、マイクロホログラム系メディア１０に対する光ピックアップ装置のトラッキング制御が行われるときに、例えば逆位相になるランド部分２２も使って記録層別に記録位置をずらす事で、層間のクロストークを減らす事ができる。例えば、複数の記録層を備えた信号部３０を有するマイクロホログラム系メディア１０において、例えばガイド層２０から偶数または奇数の層においては、ランド部分２２で信号等をガイドさせ、例えばガイド層２０から奇数または偶数の層においては、グルーブ部分２１で信号等をガイドさせる。また、略格子縞模様をし深さ方向に略沿って延ばされた側面視略長円形／楕円形記録マーク３１，３２の形状によっては、深さ方向の層間ピッチを詰めることが可能とされる。このようにすることで、マイクロホログラム系メディア１０の高密度記録化に寄与することが可能とされる。
【００２６】
以上、本発明の実施形態について説明したが、前述した実施形態は、本発明の理解を容易にするためのものであり、本発明を限定して解釈するためのものではない。本発明はその趣旨を逸脱することなく変更／改良され得るとともに、本発明にはその等価物も含まれるものである。
【符号の説明】
【００２７】
１０        マイクロホログラム系メディア（メディア）
２０        ガイド層（ランド・グルーブ構造部）
２１        グルーブ部分（溝底部）
２２        ランド部分（上面部）
３０        信号層（信号部）
３１，３２  記録マーク
【図１】
2012226798.tif 000003
【図２】
2012226798.tif 000004